(57)【要約】【課題】温湿センサを装置内部に配置しながら、外気の温度、湿度に対する測定精度を高めることのできる画像形成装置を提供する。【解決手段】外気の温度や湿度を測定し、この測定に応じて画像形成に係る制御を行う複写機において、フレームを覆う外装カバー１１１に２つの通気口１１３ａ、１１３ｂを形成し、２つの通気口１１３ａ、１１３ｂの間（外装カバー１１１の領域１１２ａに対向するフレーム側）に、フレームと外装カバー１１１との間隙で外気の温度および湿度を検知する温湿センサを設ける。また、一方の通気口１１３ｂから前記間隙の空気を排出するための排気ファンをフレーム側に設ける。【選択図】図２
2010078805.tif 000002
【特許請求の範囲】
【請求項１】
フレームを覆う外装カバーに２つの通気口を形成し、前記２つの通気口の間に、前記フレームと前記外装カバーとの間隙で外気の温度および湿度を検知する温湿検知手段を設けたことを特徴とする画像形成装置。
【請求項２】
前記２つの通気口を前記温湿検知手段の上下に形成したことを特徴とする請求項１に記載の画像形成装置。
【請求項３】
前記フレームと前記温湿検知手段との間に介在して、前記温湿検知手段を保持する保持部材を設け、
前記保持部材は前記フレームよりも低熱伝導率の材料からなることを特徴とする請求項２または請求項３に記載の画像形成装置。
【請求項４】
前記２つの通気口および前記温湿検知手段の周囲に壁部材を設けたことを特徴とする請求項１から請求項３のいずれか一項に記載の画像形成装置。
【発明の詳細な説明】
【技術分野】
【０００１】
本発明は、複写機（ＰＰＣ）、ファクシミリ、プリンタあるいはこれらの複合機等の画像形成装置に関するものである。
【背景技術】
【０００２】
従来の画像形成装置においては、画像形成条件の設定に際して装置外部の空気（以下、外気という）の温度や湿度を測定し、この測定に応じて画像形成に係る制御を行っていた。前記の温度や湿度の測定に用いられるセンサ類は、安全性および強度を配慮して装置内部に配置されることになる。しかしながら、装置内部の温度や湿度は画像形成動作によって変化するために、装置内部に配置されたセンサによる測定値と実際の外気の温度や湿度との差異が所定の許容範囲を超える場合がある。
【０００３】
そこで、この種の画像形成装置には、コントローラボードを通る排気ダクトを設け、コントローラボードの下方に温湿センサを配置し、排気ダクトを通る外気の温度、湿度を前記温湿センサによって測定しているものがある（例えば、特許文献１参照）。
【０００４】
ここで、排気ダクトは筐体の一側面からコントローラボードを通って対向する他側面へ連通している。外気は本体用排気ファンの排気によって筐体の一側面に形成された吸気口から導入され、コントローラボードを通って筐体の他側面の排気口から排気されるようになっている。
【特許文献１】特開２００１−１２５４４３号公報
【発明の開示】
【発明が解決しようとする課題】
【０００５】
従来の画像形成装置においては、排気ダクトが通る装置内部のコントローラボードの下方に温湿センサを配置し、コントローラボードの発熱で昇温した空気が温湿センサの測定に影響を与えるのを回避している。しかしながら、さらに温湿センサの測定結果と実際の外気の温度、湿度との差異を縮めるためには、例えば、温湿センサを排気ダクトから装置の外装に近づける等の改善が望まれる。
【０００６】
本発明は、従来の問題を解決するためになされたもので、温湿センサを装置内部に配置しながら、外気の温度、湿度に対する測定精度を高めることのできる画像形成装置を提供することを目的とする。
【課題を解決するための手段】
【０００７】
（１）本発明は、フレームを覆う外装カバーに２つの通気口を形成し、前記２つの通気口の間に、前記フレームと前記外装カバーとの間隙で外気の温度および湿度を検知する温湿検知手段を設けた構成を有している。
【０００８】
この構成によれば、温湿検知手段は、排気ダクトを通さずに外装カバーに形成された一方の通気口から導入され、他方の通気口から排出される外気を双方の間で検知するので、簡易な構成により外気の温度、湿度に相当する測定結果を得ることができる。さらに、本発明は、次の（２）〜（４）の構成を有していることが好ましい。
【０００９】
（２）本発明においては、前記２つの通気口を前記温湿検知手段の上下に形成した構成を有している。
【００１０】
（３）本発明においては、前記フレームと前記温湿検知手段との間に介在して、前記温湿検知手段を保持する保持部材を設け、前記保持部材は前記フレームよりも低熱伝導率の材料からなる構成を有している。
【００１１】
（４）本発明においては、前記２つの通気口および前記温湿検知手段の周囲に壁部材を設けた構成を有している。
【発明の効果】
【００１２】
本発明は、フレームと外装カバーとの間隙で外気の温度および湿度を検知する温湿検知手段を設けることにより、温湿センサを装置内部に配置しながら、外気の温度、湿度に対する測定精度を高めることができるという効果を有する画像形成装置を提供することができる。
【発明を実施するための最良の形態】
【００１３】
以下、本発明の画像形成装置の実施の一形態としての複写機について、図面を用いて説明する。
【００１４】
[第１の実施の形態]
本発明の第１の実施の形態としての複写機を図１に示す。
【００１５】
図１において、複写機１はタンデム式のフルカラー画像形成装置である。複写機１は、画像読取ユニットとしてのスキャナ部２と、スキャナ部２の正面側に配された操作部６（図２参照）と、スキャナ部２の下部に配置された排紙部３と、排紙部３の下部に配置された画像形成部４と、画像形成部４の下部に配置された２段の給紙ユニットとしての給紙部５と、から構成されている。
【００１６】
スキャナ部２は、コンタクトガラス２ａと、光源２ｂと、第１ミラー部材２ｃと、第２ミラー部材２ｄと、第３ミラー部材２ｅと、結像レンズ２ｆと、ＣＣＤ等のイメージセンサ２ｇとを備えており、光源２ｂおよび第１ミラー部材２ｃは、第１走行体に保持され、第２ミラー部材２ｄおよび第３ミラー部材２ｅは、第２走行体に保持されるようになっている。このようなスキャナ部２は、光源２ｂによりコンタクトガラス２ａ上に載置された原稿に光を照射し、各ミラー部材２ｃ〜２ｅにより原稿からの反射光を折り返させ、その反射光を結像レンズ２ｆにより結像してイメージセンサ２ｇで読み取らせるようになっている。
【００１７】
なお、スキャナ部２の上部には、コンタクトガラス２ａ上に載置された原稿を押圧する図示しない圧板や、コンタクトガラス２ａ上に原稿を自動で搬送してシートスルー方式の原稿読取を実現する自動原稿搬送装置（ＡＤＦ）などが設けられる。
【００１８】
画像形成部４は、画像形成装置本体内に並列された４つのプロセスカートリッジ１１Ｙ、１１Ｃ、１１Ｍ、１１Ｋ（以下、単にプロセスカートリッジ１１とも記す）と、光書込手段としての光書込装置１２と、それぞれ異なる色（イエロー、シアン、マゼンタ、ブラック）のトナーを収容するトナー収容手段として画像形成装置本体内に並列された４つのトナーボトル１３Ｙ、１３Ｃ、１３Ｍ、１３Ｋ（以下、単にトナーボトル１３とも記す）と、中間転写手段としての中間転写装置１４と、中間転写クリーニング手段としての中間転写クリーニング装置１５と、定着手段としての定着装置１６と、を備えている。
【００１９】
各プロセスカートリッジ１１は、同一の構成であり、それぞれ潜像を担持する感光体としての感光体ドラム１７と、感光体ドラム１７を帯電するための帯電部としての帯電装置１８と、感光体ドラム１７上の転写残トナーを除去するクリーニング部としてのクリーニング装置１９と、感光体ドラム１７の表面に形成された静電潜像にトナーを供給しトナー像として可像化する現像部としての現像装置２０と、を有している。また、各プロセスカートリッジ１１は、それぞれイエロー、シアン、マゼンタ、ブラックの各色の画像を形成するようになっている。
【００２０】
光書込装置１２は、４つのプロセスカートリッジ１１の下部に配置され、各色に対応する例えばレーザダイオード方式の４つの光源と、光源から出射されたレーザ光束をコリメートする光学系と、ポリゴンミラーおよびポリゴンモータからなる１つの偏向器と、各光源の光路上に配置されたｆθレンズなどの走査、結像用のレンズや補正用レンズ、ミラーなどからなる光学系と、により構成されている。この光書込装置１２は、各色の画像情報に基づき４つの光源から出射されたレーザ光束を１つの偏向器により４系統に振り分けて偏光走査し、帯電装置１８により帯電された各色の感光体ドラム１７の表面に照射し、４つの感光体ドラム１７に静電潜像を書き込むようになっている。
【００２１】
各トナーボトル１３は、同一の構成であり、それぞれ排紙部３の下部に配置され、イエロー、シアン、マゼンタ、ブラックの各色のトナーが充填されるようになっている。各トナーボトル１３は、それぞれ各色に対応するプロセスカートリッジ１１に図示しない供給路を介して、充填された各色のトナーを供給するようになっている。４本のトナーボトル１３は略水平に配置されている。
【００２２】
中間転写装置１４は、プロセスカートリッジ１１の上部に配置され、一次転写ローラ１４ａと、中間転写ベルト１４ｂと、二次転写ローラ１４ｃとを有している。この中間転写装置１４は、一次転写ローラ１４ａに所定の転写電圧が印加されることにより、感光体ドラム１７上に形成されたトナー像を回転する中間転写ベルト１４ｂ上に一次転写するようになっている。また、二次転写ローラ１４ｃに所定の転写電圧が印加されることにより、中間転写ベルト１４ｂ上に転写されたトナー像をさらに記録紙に二次転写するようになっている。
【００２３】
中間転写クリーニング装置１５は、図１中、中間転写装置１４の左側に配置され、記録紙への転写後に中間転写ベルト１４ｂ上の残留トナーを除去するようになっている。
【００２４】
定着装置１６は、図１中、中間転写装置１４の右上部かつ各トナーボトル１３の右側に配置され、定着ローラ１６ａと、加熱ローラ１６ｂと、定着ローラ１６ａと加熱ローラ１６ｂとに支持された定着ベルト１６ｃと、定着ベルト１６ｃに所定の圧力で接する加圧ローラ１６ｄとを備えている。この定着装置１６は、記録紙に転写されたトナー像を熱と圧力により記録紙に定着させるようになっている。
【００２５】
また、定着装置１６の上部には、搬送ローラ２１や排紙ローラ２２が配置されており、排紙部３に向けて記録紙を搬送し排紙するようになっている。
【００２６】
さらに、定着装置１６の上部には、両面複写時に搬送路を切り換えるための切換爪２３やスイッチバック式に記録紙の向き反転するための反転搬送ローラ２４および反転搬送路２５が配置されている。また図１中、定着装置１６の右側面側には、搬送路上に第１両面用搬送ローラ２６および第２両面用搬送ローラ２７が設けられた両面用搬送路２８が配置されている。そして、これら搬送路および搬送ローラは、反転搬送路２５に一時的にスタックされた記録紙を反転搬送ローラ２４で向きを反転させて、第１両面用搬送ローラ２６および第２両面用搬送ローラ２７により両面用搬送路２８上を搬送して、後述するレジストローラに再給紙するようになっている。
【００２７】
このような画像形成部４は、帯電装置１８によって帯電された感光体ドラム１７上に、光書込装置１２から光を照射して潜像を書き込み、潜像が書き込まれた感光体ドラム１７の表面に、現像装置２０によってトナーを供給してトナー像として可視像化して、この可視像化されたトナー像を中間転写装置１４により記録紙に転写し、定着装置１６により転写された画像を記録紙に定着させて、画像を形成するようになっている。
【００２８】
給紙部５は、記録紙が収納された２段の第１給紙カセット５ａおよび第２給紙カセット５ｂと、第１給紙装置５ｃおよび第２給紙装置５ｄとを備えている。
【００２９】
また、この第１給紙装置５ｃおよび第２給紙装置５ｄの給紙方向上流には、第１搬送ローラ３０および第２搬送ローラ３１が配置されている。さらに、この第１搬送ローラ３０および第２搬送ローラ３１の給紙方向のさらに上流であって、二次転写ローラ１４ｃの手前には、レジストローラ３２が配置されている。
【００３０】
さらに、給紙部５は、第１給紙カセット５ａおよび第２給紙カセット５ｂのいずれかから第１給紙装置５ｃまたは第２給紙装置５ｄにより記録紙を給紙し、第１搬送ローラ３０および第２搬送ローラ３１を介してレジストローラ３２に向けて給紙するようになっている。また、レジストローラ３２は、第１搬送ローラ３０および第２搬送ローラ３１を介して給紙された記録紙を所定のタイミングにて二次転写ローラ１４ｃに給紙するようになっている。
【００３１】
操作部６には、例えばスタートキー、テンキー、機能設定キー、リセットキー、クリア／ストップキー等を含む複写機１の各種機能を操作するための各種入力キーと、各種入力情報や画像形成装置の状態などを表示する表示部と、を有する。
【００３２】
次に、複写機１の外観を図２に示し、排気ファンの取付位置を図３に示し、温湿センサの取付位置を図４に示す。なお、図２は複写機１の斜視図である。図３は通気口および排気ファン付近の断面図である。図４は外装カバー内部の斜視図である。
【００３３】
図２において、画像形成部４および給紙部５が設けられる装置本体の外装は、プラスチックを用いた樹脂成型により形成された外装カバー１１１、２０１や前側開閉扉７、横側開閉扉（不図示）等の部材で構成されている。この前側開閉扉７は、外装カバー１１１等に対して開閉可能に設けられ、トナーボトル１３の交換や画像形成部４の保守、メンテナンス作業が容易に行えるようになっている。また、横側開閉扉は、前側開閉扉７に対して右側に設けられ、定着ユニットの着脱や、記録紙の紙詰まり時の除去処理等の作業がし易いようになっている。また、横側開閉扉には、手差し用トレイ９（図１参照）が開閉可能に設けられている。なお、図２においては図示を省略しているが、後側にも開閉扉が設けられ、画像形成に必要な装置の保守、メンテナンス作業を行い易いようになっている。
【００３４】
外装カバー１１１は、機器構造体を収容する機器構造体フレーム（以下、単にフレームとも記す）を覆うと共に、前記フレームに着脱可能に装着されている。外装カバー１１１には、２つの通気口１１３ａ、１１３ｂが左右（略水平）に形成されており、開口部は外気の吸入と排出のためにルーバー形状となっている。２つの通気口１１３ａ、１１３ｂの間には温湿センサ１１２（図３参照）が配置されている。温湿センサ１１２は、外装カバー１１１の領域１１２ａに対向するようフレーム側に取り付けられている。
【００３５】
図３に示すように、通気口１１３ｂには排気ファン２０７が設けられている。排気ファン２０７は、外装カバー１１１に覆われるフレーム２０６に取り付けられている。そして、排気ファン２０７は、外装カバー１１１とフレーム２０６との間隙の空気を通気口１１３ｂから機外に排出するようになっている。排気ファン２０７の排気によって機内に陰圧が生じ、通気口１１３ａから外気が吸入される。したがって、外気は通気口１１３ａから温湿センサ１１２を通って通気口１１３ｂへ左右方向に流通することになる。
【００３６】
図４に示すように、温湿センサ１１２は、フレーム２０６側（例えば、廃トナー収容部２０４あるいは中間転写クリーニング装置１５の近傍）に設けられている。なお、図４では、温湿センサ１１２を支持する支持構造および排気ファン２０７の支持構造（図３参照）の図示を省略している。
【００３７】
以上のように構成された複写機１について、その画像形成動作を説明する。
【００３８】
まず、複写機１は、コンタクトガラス２ａ上に原稿が載置されるか、または図示しないＡＤＦの原稿載置台に原稿が載置され、操作部６に設けられたスタートキーがユーザにより押下されると、複写動作を開始する。
【００３９】
ここで、ＡＤＦに載置された原稿の読取動作を行う場合には、ＡＤＦによりコンタクトガラス２ａ上の読取位置まで原稿を搬送した後、スキャナ部２を駆動する。
【００４０】
一方、コンタクトガラス２ａ上に載置された原稿の読取動作を行う場合には、コンタクトガラス２ａ上に原稿が載置されると、直ちにスキャナ部２を駆動する。
【００４１】
次いで、光源２ｂと第１ミラー部材２ｃとを保持する第１走行体、および第２ミラー部材２ｄと第３ミラー部材２ｅとを保持する第２走行体を走行する。そして、コンタクトガラス２ａ上の原稿に対して光源２ｂから光を照射して、原稿から反射する反射光を第１ミラー部材２ｃによって第２ミラー部材２ｄに向けて反射させる。さらに第２ミラー部材２ｄで反射された反射光を、第３ミラー部材２ｅによって結像レンズ２ｆに向けて反射する。そして、この反射光を結像レンズ２ｆにより結像してイメージセンサ２ｇによって読み取る。その後、操作部６のモード設定に応じて、フルカラーモードまたは白黒モードで画像形成動作を開始する。
【００４２】
なお、前述の温湿センサ１１２は機内で外気の温度、湿度の検知を行い、検知信号（測定結果）を所定のインタフェースを介して複写機本体のコントローラ（不図示）に送信する。コントローラは、温湿センサ１１２を含む各種センサからの検知信号と前記モード設定とに基づいて画像形成動作を制御する。
【００４３】
画像形成部４において、まず各帯電装置１８により各感光体ドラム１７を帯電させる。その後、帯電された各感光体ドラム１７の表面に光書込装置１２によりレーザ光を照射して、各感光体ドラム１７上に静電潜像を形成する。
【００４４】
その後、各感光体ドラム１７上に形成された静電潜像に対して、現像装置２０によってトナーを供給し、トナー像として可視像化する。
【００４５】
次に、中間転写装置１４の一次転写ローラ１４ａに転写電圧を印加し、各感光体ドラム１７上に形成されたトナー像を回転する中間転写ベルト１４ｂに順次、一次転写する。このとき、各色の作像動作は、そのトナー像が中間転写ベルト１４ｂの同じ位置に重ねて転写されるよう上流側から下流側に向けてタイミングをずらして実行される。
【００４６】
次いで、上述の一次転写の動作に合わせて、給紙部５の第１給紙カセット５ａおよび第２給紙カセット５ｂの何れか一方から記録紙が第１給紙装置５ｃまたは第２給紙装置５ｄを介して、給紙される。なお、本実施の形態においては、第１給紙カセット５ａおよび第２給紙カセット５ｂの何れかから記録紙を給紙するようにしたが、手差し用トレイ９から記録紙を給紙するようにしてもよい。
【００４７】
その後、記録紙の先端がレジストローラ３２まで到達すると図示しないセンサによって検知され、この検知信号のタイミングに応じてレジストローラ３２により記録紙が二次転写ローラ１４ｃと中間転写ベルト１４ｂとの間の二次転写ニップ部に搬送される。
【００４８】
次いで、中間転写ベルト１４ｂ上に一次転写されたトナー像は、中間転写ベルト１４ｂの駆動により二次転写ローラ１４ｃの位置まで移動し、記録紙に一括して二次転写される。そしてトナー像が転写された記録紙は、定着装置１６に搬送され、熱と圧力によりトナー像が定着されて、搬送ローラ２１向けて搬送された後、排紙ローラ２２により排紙部３に排紙される。これにより複写機１は、記録紙にカラー画像を形成することができる。
【００４９】
このような本発明の第１の実施の形態としての複写機１によれば、外装カバー１１１とフレーム２０６との間隙で、外装カバー１１１に形成された左右２つの通気口（ルーバー形状）１１３ａ、１１３ｂの間を流通する外気の温度、湿度を検知するので、外気により近い温度、湿度の情報を取得することができる。したがって、画像形成条件に従い、画像形成動作を的確に行うことができる。
【００５０】
また、１つの通気口１１３ｂに排気ファン２０７を設け、前記間隙から強制的に排気するようにしたので、左右に通気口１１３ａ、１１３ｂを配置しても外気の吸入、排出を維持することができる。したがって、複写機１を設計する際に通気口１１３ａ、１１３ｂの配置の自由度が増すことになる。
【００５１】
なお、前述した実施の形態では、通気口１１３ｂに排気ファン２０７を設けた場合について説明したが、本発明はこのほかに、通気口１１３ａに外気を吸入するための吸気ファンを設けても同様の効果が得られるものである。
【００５２】
また、前述した実施形態では、外気の温度、湿度の双方を検知する温湿センサ１１２を設けた場合について説明したが、本発明はこのほかに、外気の温度、湿度のいずれかを検知するようにしても同様の効果が得られるものである。
【００５３】
また、前述した実施形態では、温湿センサ１１２をフレーム側に設けた場合について説明したが、本発明はこのほかに、温湿センサ１１２の強度が許容するならば、例えば、外装カバー側に設けても同様の効果が得られるものである。
【００５４】
[第２の実施の形態]
次に、本発明の第２の実施の形態としての複写機の外観を図５、図６に示し、前記複写機の要部を図７、図８に示す。なお、第１の実施の形態と同一構成には同一符号を付与して説明を一部省略する。
【００５５】
図５において、画像形成部４および給紙部５が設けられる装置本体の外装は、プラスチックを用いた樹脂成型により形成された外装カバー１２１や前側開閉扉７、横側開閉扉２０５等の部材で構成されている。この前側開閉扉７は、外装に対して開閉可能に設けられ、トナーボトル１３の交換や画像形成部４の保守、メンテナンス作業が容易に行えるようになっている。また、横側開閉扉２０５は、前側開閉扉７に対して右側に設けられ、定着ユニットの着脱や、記録紙の紙詰まり時の除去処理等の作業がし易いようになっている。また、横側開閉扉２０５には、手差し用トレイ９（図１参照）が開閉可能に設けられている。なお、図２においては図示を省略しているが、後側にも開閉扉が設けられ、画像形成に必要な装置の保守、メンテナンス作業を行い易いようになっている。
【００５６】
外装カバー１２１は、機器構造体フレーム１３２（図６参照）を覆うと共に、前記フレームに着脱可能に装着されている。外装カバー１２１には、２つの通気口１２３ａ、１２３ｂが上下（略垂直）に形成されており、開口部は外気の吸入と排気のためにルーバー形状となっている。２つの通気口１２３ａ、１２３ｂの間には温湿センサ１３１（図６参照）が配置されている。温湿センサ１３１は、外装カバー１２１の領域１２２に対向するようフレーム側に取り付けられている。
【００５７】
図６に示すように、フレーム１３２には電子部品１３３および温湿センサ１３１が上下に配設されている。通気口１２３ｂは温湿センサ１３１の下位に配置され、通気口１２３ａは温湿センサ１３１の上位に配置されている。そして、電子部品１３３の発熱によって、温湿センサ１３１の上下での温度偏差が大きくなるために空気の対流が生じる。ここでは、下位の通気口１２３ｂから外気が吸入され、上位の通気口１２３ａから排気されることになる。なお、電子部品１３３の発した熱の一部も上位の通気口１２３ａから排出される。したがって、外気は通気口１２３ｂから温湿センサ１３１を通って通気口１２３ａへ上下方向に流通することになる。
【００５８】
図７に示すように、温湿センサ１３１は保持部材１４２を介してフレーム１３２に取り付けられている。すなわち、温湿センサ１３１とフレーム１３２とは離隔されている。保持部材１４２は、金属製のフレーム１３２に対して熱伝導率の低い樹脂製となっている。これは、機内で発生した熱（例えば、定着ユニットの熱源からの輻射熱）がフレーム１３２を介して温湿センサ１３１に伝導するのを阻止するためである。
【００５９】
図８に示すように、外装カバー１２１の裏面において、通気口１２３ａの上端および通気口１２３ｂの下端の近傍には、リブ状の隔壁１６２ａ、１６２ｂが外装カバー１２１の両側面１２１ａ、１２１ｂにわたって形成されている。したがって、隔壁１６２ａ、１６２ｂと外装カバー１２１の両側面１２１ａ、１２１ｂとにより、通気口１２３ａ、１２３ｂを通して外気が吸入および排気される空間と機内の空気が流通する空間とが仕切られる。温湿センサ１３１は、前記外気が吸入および排気される空間に配置されているため、機内の発熱による温度、湿度の変化の影響を受け難い。
【００６０】
このような本発明の第２の実施の形態としての複写機１によれば、温湿センサ１３１は、通気口１２３ａ、１２３ｂのルーバーから離隔した位置に設けられているために、ルーバーの隙間から入った異物等が接触するのを回避して、安全性を確保することができる。また、例えば、機外の空調機器からの空気がルーバーを通して吹き込む等、外部からの影響を避けることができ、外気の正確な測定が可能となる。
【００６１】
また、本実施の形態によれば、電子部品１３３は上位の通気口１２３ａの近傍または上方に設けられているので、電子部品１３３の発する熱によって機内の空気の対流が起り易くなり、その結果、下位の通気口１２３ｂから外気が吸入されて上位の通気口１２３ａから排気されることになる。したがって、機内の空気と外気との交換がなされ、機内で外気の温度、湿度により近い測定結果を得ることができる。
【００６２】
また、本実施の形態によれば、温湿センサ１３１は電子部品１３３の下方に設けられているので、電子部品１３３の発する熱が温度、湿度の測定に影響するのを回避することができる。
【００６３】
さらに、本実施の形態によれば、温湿センサ１３１を下位の通気口１２３ｂの付近に配置したので、前記間隙に吸入された外気を直ちに測定することができる。したがって、測定結果としてより外気に近い温度、湿度のデータを得ることができる。
【００６４】
最後に、各請求項の発明に相当する実施の形態の作用効果を述べる。
【００６５】
（１）前述した各実施の形態によれば、例えば、フレームを覆う外装カバー１１１に２つの通気口１１３ａ、１１３ｂを形成し、通気口１１３ａ、１１３ｂの間に、前記フレームと外装カバー１１１との間隙で外気の温度および湿度を検知する温湿センサ１１２を設けたので、２箇所に設けた通気口１１３ａ、１１３ｂにより、外気の吸入および排出を行うことができる。したがって、温湿センサ１１２により、機内のフレームと外装カバー１１１との間隙で外気に近い温度、湿度の測定を行うことができる。
【００６６】
さらに、通気口１１３ｂに排気ファン２０７を設けることにより、前記フレームと外装カバー１１１との間隙に外気を強制的に流通させるので、さらに外気に近い温度、湿度の測定を行うことができる。
【００６７】
なお、前述した実施の形態において、例えば、フレーム１３２はフレームに相当する。例えば、外装カバー１１１、１２１は外装カバーに相当する。例えば、通気口１１３ａ、１１３ｂ、１２３ａ、１２３ｂは２つの通気口に相当する。例えば、温湿センサ１１２、１３１は温湿検知手段に相当する。
【００６８】
（２）前述した第２の実施の形態によれば、２つの通気口１２３ａ、１２３ｂを温湿センサ１３１の上下に形成したので、機内の温度が上昇すると、フレーム１３２と外装カバー１２１との間隙の空気と外気との温度差によって対流が起こる。したがって、上位の通気口１２３ａから前記間隙の空気が排出されると共に、下位の通気口１２３ｂから外気が吸入され、前記間隙の温度、湿度を外気に近づけることができる。また、通気口１２３ａ、１２３ｂに吸気ファンあるいは排気ファンを設けなくても、温湿センサ１３１を通して外気が流通することになる。
【００６９】
（３）前述した第２の実施の形態によれば、金属製のフレーム１３２と温湿センサ１３１との間に介在して、温湿センサ１３１を保持する保持部材１４２を備え、保持部材１４２はフレーム１３２よりも低熱伝導率の樹脂材料からなるので、機内で発生した熱がフレーム１３２を介して温湿センサ１３１に伝導するのを抑制することができる。よって、機内で発生した熱が、温湿センサ１３１による外気の温度、湿度の測定結果に影響を及ぼすのを回避することが期待される。
【００７０】
なお、前述した実施の形態において、例えば、保持部材１４２は保持部材に相当する。
【００７１】
（４）２つの通気口１２３ａの上端、通気口１２３ｂの下端の近傍にリブ状の隔壁１６２ａ、１６２ｂを設けたので、隔壁１６２ａ、１６２ｂおよび外装カバー１２１の側面１２１ａ、１２１ｂによって通気口１２３ａ、１２３ｂおよび温湿センサ１３１の周りが囲い込まれる。そこで、通気口１２３ａ、１２３ｂを通して外気が吸入および排出される空間（隔壁１６２ａ、１６２ｂ、外装カバー１２１およびフレーム１３２によって囲まれた閉空間）においては、機内の発熱による温度、湿度の変化の影響が少なくなる。よって、温湿センサ１３１により、さらに外気に近い温度、湿度を測定することが期待される。
【００７２】
なお、前述した実施の形態において、例えば、隔壁１６２ａ、１６２ｂ、外装カバー１２１の側面１２１ａ、１２１ｂは壁部材に相当する。
【図面の簡単な説明】
【００７３】
【図１】本発明の第１の実施の形態としての複写機の断面図である。
【図２】本発明の第１の実施の形態としての複写機の斜視図である。
【図３】本発明の第１の実施の形態としての通気口および排気ファン付近の断面図である。
【図４】本発明の第１の実施の形態としての外装カバー内部の斜視図である。
【図５】本発明の第２の実施の形態としての複写機（外装カバーあり）の斜視図である。
【図６】本発明の第２の実施の形態としての複写機（外装カバーなし）の斜視図である。
【図７】本発明の第２の実施の形態としての温湿センサ付近の斜視図である。
【図８】本発明の第２の実施の形態としての外装カバー（裏面）の斜視図である。
【符号の説明】
【００７４】
１  複写機（画像形成装置）
２  スキャナ部（画像読取ユニット）
４  画像形成部
１１、１１Ｙ、１１Ｃ、１１Ｍ、１１Ｋ  プロセスカートリッジ
１２  光書込装置
１３、１３Ｙ、１３Ｃ、１３Ｍ、１３Ｋ  トナーボトル
１４  中間転写装置
１５  中間転写クリーニング装置
１６  定着装置
１７  感光体ドラム
１８  帯電装置
１９  クリーニング装置
２０  現像装置
１１１、１２１、２０１  外装カバー
１１２、１３１  温湿センサ
１１３ａ、１１３ｂ、１２３ａ、１２３ｂ  通気口
１２１ａ、１２１ｂ  外装カバーの側面（壁部材）
１３２、２０６  機器構造体フレーム（フレーム）
１３３  電子部品
１４２  保持部材
１６２ａ、１６２ｂ  隔壁（壁部材）
２０４  廃トナー収容部
２０７  排気ファン
【図１】
2010078805.tif 000003
【図２】
2010078805.tif 000004
【図３】
2010078805.tif 000005
【図４】
2010078805.tif 000006
【図５】
2010078805.tif 000007
【図６】
2010078805.tif 000008
【図７】
2010078805.tif 000009
【図８】
2010078805.tif 000010